(57)【要約】【課題】複数の表示パネルを含む場合に、より小型化を図ることが可能な表示装置を提供する。【解決手段】この表示装置は、ガラス基板１１上に形成されたメインパネル１と、同一のガラス基板１１上で、かつ、メインパネル１が形成される領域とは異なる領域に形成されたサブパネル２とを備えている。また、メインパネル１は、透過型および半透過型のうちのいずれかの表示パネルを含み、サブパネル２は、反射型の表示パネルを含む。【選択図】図２
2004070225.tif 000002
【特許請求の範囲】
【請求項１】
基板上に形成された第１表示パネルと、
前記基板と同一基板上で、かつ、前記第１表示パネルが形成される領域とは異なる領域に形成された第２表示パネルとを備えた、表示装置。
【請求項２】
前記第１表示パネルは、透過型および半透過型のうちのいずれかの表示パネルを含み、
前記第２表示パネルは、反射型の表示パネルを含む、請求項１に記載の表示装置。
【請求項３】
前記第１表示パネルは、主表示パネルを含み、
前記第２表示パネルは、補助表示パネルを含む、請求項２に記載の表示装置。
【請求項４】
前記基板は、画素電極が形成される側の第１基板を含み、
前記第１基板に対向するように配置される第２基板をさらに備え、
前記第１表示パネルの表示は、前記第１基板側から観察され、
前記第２表示パネルの表示は、前記第２基板側から観察される、請求項１〜３のいずれか１項に記載の表示装置。
【請求項５】
前記第２表示パネルは、
前記第１基板側に形成され、前記画素電極を構成する反射電極と、
前記第２基板側に形成され、前記対向電極を構成する透明電極とを含む、請求項４に記載の表示装置。
【請求項６】
前記基板は、画素電極が形成される側の第１基板を含み、
前記第１基板に対向するように配置される第２基板をさらに備え、
前記第１表示パネルの表示は、前記第２基板側から観察され、
前記第２表示パネルの表示は、前記第１基板側から観察される、請求項１〜３のいずれか１項に記載の表示装置。
【請求項７】
前記第２表示パネルは、
前記第１基板側に形成され、前記画素電極を構成する透明電極と、
前記第２基板側に形成され、前記対向電極とは別個に形成された反射膜とを含む、請求項６に記載の表示装置。
【請求項８】
前記反射膜は、前記第２基板の前記第１基板に対向する側の表面上に形成されている、請求項７に記載の表示装置。
【請求項９】
前記基板は、画素電極が形成される側の第１基板を含み、
前記第１基板に対向するように配置される第２基板をさらに備え、
前記第１表示パネルおよび前記第２表示パネルの表示は、共に、前記第２基板側から観察され、
前記第２表示パネルは、前記第１基板側に形成され、前記画素電極を構成する第１反射電極を含む、請求項１〜３のいずれか１項に記載の表示装置。
【請求項１０】
前記第１表示パネルは、前記第１基板側に形成された第２反射電極を含み、
前記第１反射電極と前記第２反射電極とは、同一層からなる、請求項９に記載の表示装置。
【請求項１１】
前記基板は、画素電極が形成される側の第１基板を含み、
前記第１基板に対向するように配置された第２基板をさらに備え、
前記第１表示パネルは、第１対向電極を含み、
前記第２表示パネルは、第２対向電極を含み、
前記第１対向電極と前記第２対向電極とは、電気的に分離するように形成されている、請求項１〜１０のいずれか１項に記載の表示装置。
【発明の詳細な説明】
【０００１】
【発明の属する技術分野】
この発明は、表示装置に関し、特に、複数の表示パネルを含む表示装置に関する。
【０００２】
【従来の技術】
従来、携帯電話などの表示パネルとして用いられる携帯可能な表示装置が知られている。また、従来、メインパネルとサブパネルとの２つの表示パネルを含む折りたたみ式の携帯電話などが知られている。
【０００３】
図１１および図１２は、従来のメインパネルとサブパネルとの２つの液晶表示パネルを含む折りたたみ式の携帯電話を示した斜視図である。図１１および図１２を参照して、従来の折りたたみ式の携帯電話２００は、表示部２００ａと操作部２００ｂとから構成されている。表示部２００ａは、操作部２００ｂ側の面に設けられたメインパネル２０１と、操作部２００ｂとは反対側の面に設けられたサブパネル２０２とを含んでいる。そして、不使用時には、図１１に示すように、表示部２００ａが操作部２００ｂに対して折りたたまれている。この折りたたまれた状態では、サブパネル２０２によって時間情報などが表示される。また、使用時には、図１１に示した状態から図１１の矢印の方向に表示部２００ａが開かれて、図１２に示すような状態となる。この状態では、メインパネル２０１によって電話番号や動画などが表示される。
【０００４】
上記した従来のメインパネル２０１とサブパネル２０２とを含む携帯電話２００では、メインパネル２０１とサブパネル２０２とを別々に搭載していたため、携帯電話２００の筐体が大きくなるという不都合があった。このため、携帯電話２００の小型化を図るのが困難であった。
【０００５】
そこで、従来、メインパネルとサブパネルとを含む携帯電話などの携帯機器において、バックライトの上方および下方にそれぞれメインパネルおよびサブパネルを配置することによって、メインパネルとサブパネルとでバックライトを共用化する技術が提案されている。これにより、バックライトを共用化した分、筐体の小型化を図ることが可能である。
【０００６】
【発明が解決しようとする課題】
ここで、携帯電話２００などの携帯機器に使用される液晶表示装置では、特に、小型化の要求が強いので、さらなる小型化を図る必要がある。しかしながら、上記したバックライトを共用化する技術では、メインパネルおよびサブパネルのパネル自体は別々に搭載されるので、小型化には限界があった。その結果、上記バックライトを共用化する技術では、さらなる小型化を図るのは困難であるという問題点があった。
【０００７】
また、上記バックライトを共用化する技術では、メインパネルおよびサブパネルのパネル自体は別々に搭載されるので、部品点数をより削減するとともに、組み立て工程をより簡略化するのは困難であった。その結果、装置コストをより低減するのが困難であるという問題点もあった。
【０００８】
この発明は上記のような課題を解決するためになされたものであり、
この発明の１つの目的は、複数の表示パネルを含む場合に、より小型化を図ることが可能な表示装置を提供することである。
【０００９】
また、この発明のもう１つの目的は、上記の表示装置において、部品点数をより削減するとともに、組立工程をより簡略化することである。
【００１０】
【課題を解決するための手段】
上記目的を達成するために、この発明の一の局面による表示装置は、基板上に形成された第１表示パネルと、その基板と同一基板上で、かつ、第１表示パネルが形成される領域とは異なる領域に形成された第２表示パネルとを備えている。
【００１１】
この一の局面による表示装置では、上記のように、同一基板上の異なる領域に第１表示パネルおよび第２表示パネルを設けることによって、第１表示パネルおよび第２表示パネルを別々の基板上に形成する場合に比べて、より小型化を図ることができる。また、同一基板上に第１表示パネルおよび第２表示パネルを設けることによって、基板が１つでよいとともに、周辺回路を共用化することも可能となるので、部品点数をより削減することができる。また、同一基板上に第１表示パネルおよび第２表示パネルを設けることによって、第１表示パネルおよび第２表示パネルを別々の基板上に形成する場合に比べて、組立工程をより簡略化することができる。このような部品点数の削減と組立工程の簡略化とによって、装置コストをより削減することができる。
【００１２】
上記一の局面による表示装置において、好ましくは、第１表示パネルは、透過型および半透過型のうちのいずれかの表示パネルを含み、第２表示パネルは、反射型の表示パネルを含む。このように構成すれば、たとえば、１つのパネルの両面にそれぞれ第１表示パネルの表示および第２表示パネルの表示を行うことが可能となる。
【００１３】
この場合、好ましくは、第１表示パネルは、主表示パネルを含み、第２表示パネルは、補助表示パネルを含む。このように構成すれば、主表示パネルは透過型または半透過型の表示パネルからなるので、反射型の場合に比べて、主表示パネルの画質を向上させることができる。また、補助表示パネルは、昼間などには光源を必要としない反射型の表示パネルからなるので、その分、補助表示パネルの低消費電力化および電池の長寿命化を図ることができる。
【００１４】
上記した透過型および半透過型のうちのいずれかの第１表示パネルと、反射型の第２表示パネルとを含む構成において、好ましくは、基板は、画素電極が形成される側の第１基板を含み、第１基板に対向するように配置される第２基板をさらに備え、第１表示パネルの表示は、第１基板側から観察され、第２表示パネルの表示は、第２基板側から観察される。このように構成すれば、容易に、１つのパネルの両面にそれぞれ第１表示パネルの表示および第２表示パネルの表示を行うことが可能となる。この場合、好ましくは、第２表示パネルは、第１基板側に形成され、画素電極を構成する反射電極と、第２基板側に形成され、対向電極を構成する透明電極とを含む。このように構成すれば、容易に、対向電極が設けられる第２基板側から表示が観察される反射型の第２表示パネルを形成することができる。
【００１５】
上記した透過型および半透過型のうちのいずれかの第１表示パネルと、反射型の第２表示パネルとを含む構成において、好ましくは、基板は、画素電極が形成される側の第１基板を含み、第１基板に対向するように配置される第２基板をさらに備え、第１表示パネルの表示は、第２基板側から観察され、第２表示パネルの表示は、第１基板側から観察される。このように構成すれば、容易に、１つのパネルの両面にそれぞれ第１表示パネルの表示および第２表示パネルの表示を行うことが可能となる。この場合、好ましくは、第２表示パネルは、第１基板側に形成され、画素電極を構成する透明電極と、第２基板側に形成され、対向電極とは別個に形成された反射膜とを含む。このように構成すれば、容易に、画素電極が設けられる第１基板側から表示が観察される反射型の第２表示パネルを形成することができる。また、この場合、好ましくは、反射膜は、第２基板の第１基板に対向する側の表面上に形成されている。このように構成すれば、第２表示パネルの反射膜によって反射される第１基板側からの光は、第２基板を通過することなく反射膜により反射されるので、第２基板による光吸収損失がない。これにより、第２表示パネルの明るさが低下するのを抑制することができる。
【００１６】
上記した透過型および半透過型のうちのいずれかの第１表示パネルと、反射型の第２表示パネルとを含む構成において、好ましくは、基板は、画素電極が形成される側の第１基板を含み、第１基板に対向するように配置される第２基板をさらに備え、第１表示パネルおよび第２表示パネルの表示は、共に、第２基板側から観察され、第２表示パネルは、第１基板側に形成され、画素電極を構成する第１反射電極を含む。このように構成すれば、容易に、１つのパネルの片面に第１表示パネルの表示および第２表示パネルの表示を行うことが可能となるとともに、対向電極が設けられる第２基板側から表示が観察される反射型の第２表示パネルを形成することができる。この場合、第１表示パネルは、第１基板側に形成された第２反射電極を含み、第１反射電極と第２反射電極とは、同一層からなるのが好ましい。このように構成すれば、第１反射電極と第２反射電極とを同一のプロセスで形成することができるので、製造プロセスを簡略化することができる。
【００１７】
上記の場合、基板は、画素電極が形成される側の第１基板を含み、第１基板に対向するように配置された第２基板をさらに備え、第１表示パネルは、第１対向電極を含み、第２表示パネルは、第２対向電極を含み、第１対向電極と第２対向電極とは、電気的に分離するように形成されている。このように構成すれば、第１表示パネルまたは第２表示パネルのいずれか一方のみを使用する場合に、第１対向電極または第２対向電極の一方にのみ電圧を印加することができるので、省電力化を図ることができる。
【００１８】
【発明の実施の形態】
以下、本発明を具体化した実施形態を図面に基づいて説明する。
【００１９】
（第１実施形態）
図１は、本発明の第１実施形態によるサブパネルとメインパネルとの２つの表示パネルを含む携帯電話用の液晶表示装置を示した平面図である。図２は、図１に示した第１実施形態による携帯電話用の液晶表示装置の構造を示した断面図である。
【００２０】
図１および図２を参照して、この第１実施形態では、同一のガラス基板１１上の互いに異なる領域に、メインパネル１とサブパネル２とが形成されている。また、メインパネル１およびサブパネル２の周辺には、周辺回路３が配置されている。また、ガラス基板１１の端部には、外部接続端子４が設けられている。
【００２１】
また、第１実施形態による携帯電話用の液晶表示装置では、図２に示すように、メインパネル１は、一方のガラス基板１１側から観察者５０により表示が観察される透過型であり、サブパネル２は、他方のガラス基板２２側から観察者５０により表示が観察される反射型である。なお、一方のガラス基板１１は、本発明の「基板」および「第１基板」の一例であり、他方のガラス基板２２は、本発明の「第２基板」の一例である。また、メインパネル１は、本発明の「第１表示パネル」および「主表示パネル」の一例であり、サブパネル２は、本発明の「第２表示パネル」および「補助表示パネル」の一例である。なお、メインパネル１とサブパネル２とは、共に、複数の画素を備えるとともに、各画素毎にＴＦＴ（薄膜トランジスタ）を含むアクティブマトリクス型である。
【００２２】
次に、図２を参照して、図１に示した第１実施形態による携帯電話用の液晶表示装置の断面構造について説明する。第１実施形態による液晶表示装置では、一方のガラス基板１１上に、ＳｉＯ２膜とＳｉＮｘ膜との積層膜からなる絶縁性薄膜１２が形成されている。絶縁性薄膜１２上のメインパネル１が形成される領域およびサブパネル２が形成される領域には、所定の間隔を隔てて島状化された多結晶シリコン膜１３が形成されている。
【００２３】
各々の多結晶シリコン膜１３には、チャネル領域１３ｃを挟むように所定の間隔を隔てて、ソース領域１３ａおよびドレイン領域１３ｂが形成されている。チャネル領域１３ｃ上には、ゲート絶縁膜１４を介してゲート電極１５が形成されている。このソース領域１３ａ、ドレイン領域１３ｂ、チャネル領域１３ｃ、ゲート絶縁膜１４およびゲート電極１５によって、画素駆動用トランジスタとしての多結晶シリコン薄膜トランジスタ（以下、多結晶シリコンＴＦＴという）が構成されている。なお、多結晶シリコンＴＦＴは、非晶質シリコン膜を能動層に用いた薄膜トランジスタ（ＴＦＴ）に比べて、移動度が大きく駆動能力が大きいという利点がある。そのため、多結晶シリコンＴＦＴを用いれば、高性能な液晶表示装置を実現することができる。
【００２４】
また、多結晶シリコンＴＦＴおよびゲート絶縁膜１４を覆うように、層間絶縁膜１６が形成されている。層間絶縁膜１６のコンタクトホール１６ｃを介して、ドレイン領域１３ｂに電気的に接続するとともに、層間絶縁膜１６の上面上に沿って延びるように、ドレイン電極１７が形成されている。また、層間絶縁膜１６およびドレイン電極１７を覆うように、平坦化絶縁膜１８が形成されている。また、メインパネル１が形成される領域では、層間絶縁膜１６および平坦化絶縁膜１８に設けられたコンタクトホール１６ａおよび１８ａを介して、ソース領域１３ａに電気的に接続するとともに、平坦化絶縁膜１８の上面上に沿って延びるように、透明電極１９が形成されている。この透明電極１９は、ＩＴＯ（Ｉｎｄｉｕｍ　Ｔｉｎ　Ｏｘｉｄｅ）膜などの透明導電性膜からなるとともに、メインパネル１の画素電極を構成する。
【００２５】
また、サブパネル２が形成される領域では、層間絶縁膜１６および平坦化絶縁膜１８に設けられたコンタクトホール１６ｂおよび１８ｂを介して、ソース領域１３ａに電気的に接続するとともに、平坦化絶縁膜１８の上面上に沿って延びるように、反射電極２０が形成されている。この反射電極は、Ａｌなどの反射率が高い材料により形成されている。また、この反射電極２０の上面上には、ＩＴＯなどの透明導電性膜からなる透明電極１９ａが形成されている。反射電極２０および透明電極１９ａは、サブパネル２の画素電極を構成する。また、メインパネル１の透明電極１９と、サブパネル２の反射電極２０および透明電極１９ａと、平坦化絶縁膜１８とを覆うように、ポリイミドなどからなる配向膜２１が形成されている。
【００２６】
また、他方のガラス基板２２上には、赤（Ｒ）、緑（Ｇ）および青（Ｂ）の各色を呈するカラーフィルタ２３が形成されている。カラーフィルタ２３上のメインパネル１が形成される領域には、ＩＴＯ膜などの透明導電性膜からなるとともに、約８０ｎｍ〜約１００ｎｍの膜厚を有するメインパネル１用の対向電極２４ａが形成されている。また、カラーフィルタ２３上のサブパネル２が形成される領域には、ＩＴＯ膜などの透明導電性膜からなるとともに、約８０ｎｍ〜約１００ｎｍの膜厚を有するサブパネル２用の対向電極２４ｂが形成されている。メインパネル１用の対向電極２４ａと、サブパネル２用の対向電極２４ｂとは、所定の間隔を隔てて電気的に分離するように形成されている。なお、対向電極２４ａは、本発明の「第１対向電極」の一例であり、対向電極２４ｂは、本発明の「第２対向電極」の一例である。
【００２７】
また、対向電極２４ａおよび２４ｂを覆うように、ポリイミドなどからなる配向膜２５が形成されている。そして、一方のガラス基板１１側の配向膜２１と、他方のガラス基板２２側の配向膜２５との間に、液晶２６が充填されている。
【００２８】
また、他方のガラス基板２２の裏面側には、バックライトユニット３０が配置されている。このバックライトユニット３０は、冷陰極管３１と、金属からなる反射板３２と、アクリルからなる導光板３３とを含んでいる。また、反射板３２のサブパネル２に対応する領域は、オープン状態になっている。これにより、バックライトユニット３０からの光は、メインパネル１側のみならずサブパネル２側にも入射される。つまり、１つのバックライトユニット３０をメインパネル１とサブパネル２とで共用化している。これにより、高価な部品である冷陰極管３１を共用することができるので、光源のコストを低減することができる。なお、昼間に反射型のサブパネル２のみを使用する場合には、外光を反射させて表示を行う。
【００２９】
ここで、メインパネル１では、バックライトユニット３０からの光は、他方のガラス基板２２側から入射されるとともに、液晶２６を通過して、一方のガラス基板１１側に透過する。これにより、メインパネル１の表示は、一方のガラス基板１１側から観察者５０によって観察される。また、サブパネル２では、バックライトユニット３０からの光または外光は、他方のガラス基板２２側から入射されるとともに、液晶２６を通過して反射電極２０により他方のガラス基板２２側に反射される。これにより、サブパネル２の表示は、他方のガラス基板２２側から観察者５０によって観察される。
【００３０】
第１実施形態では、上記のように、同一のガラス基板１１上にメインパネル１およびサブパネル２を設けることによって、メインパネル１およびサブパネル２を別々の基板上に形成する場合に比べて、より小型化を図ることができる。また、同一のガラス基板１１上に、メインパネル１およびサブパネル２を設けることによって、一方のガラス基板１１が１つでよいとともに、周辺回路３を共用化することも可能となるので、部品点数を削減することができる。また、メインパネル１およびサブパネル２を別々の基板上に形成する場合に比べて、組立工程をより簡略化することができる。このような部品点数の削減と組立工程の簡略化とによって、装置コストをより削減することができる。
【００３１】
また、第１実施形態では、メインパネル１を透過型にするとともに、サブパネル２を反射型にすることによって、１つの液晶表示パネルの両面にそれぞれメインパネル１の表示およびサブパネル２の表示を行うことが可能となる。この場合、メインパネル１では、動画などを表示するため、画質の向上が要求される。第１実施形態では、メインパネル１は、バックライトユニット３０を光源として用いる透過型であるので、メインパネル１の画質を向上させることができる。また、サブパネル２では、時刻表示などを行うので、メインパネル１に比べ、画質の向上はそれほど要求されない一方、消費電力の低減が要求される。第１実施形態では、サブパネル２を、昼間には光源を必要としない反射型にすることによって、サブパネル２の消費電力を低減することができるとともに、電池の長寿命化を図ることができる。
【００３２】
また、第１実施形態では、メインパネル１用の対向電極２４ａとサブパネル２用の対向電極２４ｂとを電気的に分離するように形成することによって、メインパネル１またはサブパネル２のいずれか一方のみを使用する場合に、メインパネル１またはサブパネル２の一方にのみ電圧を印加することができる。これにより、省電力化を図ることができる。
【００３３】
また、第１実施形態では、サブパネル２が形成される領域において、反射電極２０上にＩＴＯ膜などからなる透明電極１９ａを形成することによって、液晶２６に接する画素電極面を、ＩＴＯ膜などからなる透明電極１９ａの上面にすることができる。これにより、液晶２６に接する画素電極面を、反射電極２０の上面にする場合に比べて、液晶２６に対する特性を良好にすることができる。その結果、反射電極２０を形成することに起因する液晶２６の特性の劣化を抑制することができる。
【００３４】
図３は、図２に示した第１実施形態の変形例による液晶表示装置を示した断面図である。図３を参照して、この第１実施形態の変形例では、図２に示した第１実施形態と異なり、ＬＥＤ光源を用いる場合について説明する。なお、第１実施形態の変形例のその他の構成は、上記した第１実施形態と同様である。この第１実施形態の変形例では、他方のガラス基板２２の裏面側のメインパネル１が形成される領域の端部に、ＬＥＤ４１が設置されている。また、ガラス基板２２の裏面側のメインパネル１およびサブパネル２が形成される領域には、導光板４３が配置されている。さらに、ガラス基板２２の裏面側のメインパネル１が形成される領域と、サブパネル２が形成される領域の端部とには、反射板４２が設置されている。この第１実施形態の変形例では、ＬＥＤ４１に流す電流を制御することによって、輝度および消費電力を調整することができる。
【００３５】
（第２実施形態）
図４は、本発明の第２実施形態によるメインパネルとサブパネルとを有する携帯電話用の液晶表示装置を示した断面図である。図４を参照して、この第２実施形態では、上記第１実施形態と異なり、他方のガラス基板側からメインパネルの表示を観察するとともに、一方のガラス基板側から反射型のサブパネルの表示を観察する構造について説明する。
【００３６】
まず、この第２実施形態による液晶表示装置では、メインパネル５１とサブパネル５２とが、同一のガラス基板６１上に形成されている。また、メインパネル５１は、他方のガラス基板７２側から観察者５０により表示が観察される透過型であり、サブパネル５２は、一方のガラス基板６１側から観察者５０により表示が観察される反射型である。なお、一方のガラス基板６１は、本発明の「基板」および「第１基板」の一例であり、他方のガラス基板７２は、本発明の「第２基板」の一例である。また、メインパネル５１は、本発明の「第１表示パネル」および「主表示パネル」の一例であり、サブパネル５２は、本発明の「第２表示パネル」および「補助表示パネル」の一例である。
【００３７】
この第２実施形態による液晶表示装置では、一方のガラス基板６１上に、ＳｉＯ２膜とＳｉＮｘ膜との積層膜からなる絶縁性薄膜６２が形成されている。絶縁性薄膜６２上のメインパネル５１が形成される領域およびサブパネル５２が形成される領域には、所定の間隔を隔てて、島状化された多結晶シリコン膜６３が形成されている。各々の多結晶シリコン膜６３には、チャネル領域６３ｃを挟むように所定の間隔を隔てて、ソース領域６３ａおよびドレイン領域６３ｂが形成されている。チャネル領域６３ｃ上には、ゲート絶縁膜６４を介してゲート電極６５が形成されている。このソース領域６３ａ、ドレイン領域６３ｂ、チャネル領域６３ｃ、ゲート絶縁膜６４およびゲート電極６５によって、多結晶シリコンＴＦＴが構成されている。
【００３８】
また、多結晶シリコンＴＦＴおよびゲート絶縁膜６４を覆うように、層間絶縁膜６６が形成されている。層間絶縁膜６６のコンタクトホール６６ｂを介して、ドレイン領域６３ｂに接続するとともに、層間絶縁膜６６の上面上に沿って延びるように、ドレイン電極６７が形成されている。層間絶縁膜６６およびドレイン電極６７を覆うように、平坦化絶縁膜６８が形成されている。平坦化絶縁膜６８および層間絶縁膜６６に設けられたコンタクトホール６８ａおよび６６ａを介して、ソース領域６３ａに電気的に接続するとともに、平坦化絶縁膜６８の上面上に沿って延びるように、透明電極６９が形成されている。この透明電極６９は、メインパネル５１が形成される領域とサブパネル５２が形成される領域との両方の領域に形成されている。また、この透明電極６９は、ＩＴＯ膜などの透明導電性膜からなるとともに、メインパネル５１およびサブパネル５２の画素電極を構成する。また、透明電極６９および平坦化絶縁膜６８を覆うように、ポリイミドなどからなる配向膜７０が形成されている。
【００３９】
また、他方のガラス基板７２上には、赤（Ｒ）、緑（Ｇ）および青（Ｂ）の各色を呈するカラーフィルタ７３が形成されている。カラーフィルタ７３上のメインパネル５１が形成される領域には、ＩＴＯ膜などの透明導電性膜からなるとともに、約８０ｎｍ〜約１００ｎｍの膜厚を有するメインパネル５１用の対向電極７４ａが形成されている。また、カラーフィルタ７３上のサブパネル５２が形成される領域には、ＩＴＯ膜などの透明導電性膜からなるとともに、約８０ｎｍ〜約１００ｎｍの膜厚を有するサブパネル５２用の対向電極７４ｂが形成されている。メインパネル５１用の対向電極７４ａと、サブパネル５２用の対向電極７４ｂとは、所定の間隔を隔てて電気的に分離するように形成されている。なお、対向電極７４ａは、本発明の「第１対向電極」の一例であり、対向電極７４ｂは、本発明の「第２対向電極」の一例である。また、対向電極７４ａおよび７４ｂを覆うように、ポリイミドなどからなる配向膜７５が形成されている。そして、一方のガラス基板６１側の配向膜７０と、他方のガラス基板７２側の配向膜７５との間に、液晶７６が充填されている。
【００４０】
ここで、第２実施形態では、他方のガラス基板７２の裏面上に、Ａｌなどの反射率の高い材料からなるとともに、約８０ｎｍ〜約１００ｎｍの膜厚を有する反射膜７１が形成されている。この反射膜７１によって、サブパネル５２に入射した光が反射される。
【００４１】
また、一方のガラス基板６１の裏面側には、バックライトユニット８０が設置されている。このバックライトユニット８０は、冷陰極管８１と、金属からなる反射板８２と、アクリルからなる導光板８３とを含んでいる。反射板８２のサブパネル５２に対応する領域は、オープン状態になっている。これにより、冷陰極管８１からの光は、メインパネル５１のみならず、サブパネル５２にも入射される。つまり、１つのバックライトユニット８０をメインパネル５１とサブパネル５２とで共用化している。これにより、高価な部品である冷陰極管８１を共用することができるので、光源のコストを低減することができる。なお、昼間に反射型のサブパネル５２のみを使用する場合には、外光を反射させて表示を行う。
【００４２】
ここで、メインパネル５１では、バックライトユニット８０からの光が、一方のガラス基板６１側から入射されるとともに、液晶７６を通過して、他方のガラス基板７２側に透過する。これにより、メインパネル５１の表示は、他方のガラス基板７２側から観察者５０によって観察される。また、サブパネル５２では、バックライトユニット８０からの光または外光が、一方のガラス基板６１側から入射されるとともに、液晶７６および他方のガラス基板７２を通過して反射膜７１により一方のガラス基板６１側に反射される。これにより、サブパネル５２の表示は、一方のガラス基板６１側から観察者５０によって観察される。
【００４３】
第２実施形態では、上記のように、サブパネル５２が形成される領域の他方のガラス基板７２の裏面上に、反射膜７１を設けることによって、一方のガラス基板６１から入射されて液晶７６を通過した光を反射膜７１により反射することができるので、容易に、一方のガラス基板６１側から表示を観察することが可能な反射型のサブパネル５２を得ることができる。そして、この反射型のサブパネル５２と、他方のガラス基板７２側から表示を観察することが可能な透過型のメインパネル５１とを組み合わせることによって、容易に、両面表示型の液晶表示装置を得ることができる。
【００４４】
また、第２実施形態では、メインパネル５１およびサブパネル５２の画素電極を同一の透明電極６９により形成することによって、メインパネル５１の画素電極とサブパネル５２の画素電極とを同一のプロセスで形成することができるので、製造プロセスを簡略化することができる。
【００４５】
なお、第２実施形態のその他の効果は、上記した第１実施形態と同様である。すなわち、メインパネル５１とサブパネル５２とを同一のガラス基板６１上に形成することによって、メインパネル５１とサブパネル５２とを別々の基板上に形成する場合に比べて、より小型化を図ることができる。また、一方のガラス基板６１が１つでよいので、部品点数を削減することができるとともに、組立工程を簡略化することができる。その結果、装置コストをより削減することができる。
【００４６】
また、メインパネル５１用の対向電極７４ａとサブパネル５２用の対向電極７４ｂとを電気的に分離して形成することによって、メインパネル５１またはサブパネル５２のいずれか一方のみを使用する場合に、対向電極７４ａまたは対向電極７４ｂの一方にのみ電圧を印加することができるので、省電力化を図ることができる。
【００４７】
（第３実施形態）
図５は、本発明の第３実施形態によるメインパネルとサブパネルとを有する携帯電話用の液晶表示装置を示した断面図である。図５を参照して、この第３実施形態では、上記第１および第２実施形態と異なり、メインパネル８１を半透過型で形成するとともに、サブパネル８２を反射型で形成する。以下、詳細に説明する。
【００４８】
まず、この第３実施形態による液晶表示装置では、メインパネル８１とサブパネル８２とが、同一のガラス基板９１上に形成されている。また、メインパネル８１は、他方のガラス基板１０２側から観察者５０により表示が観察される半透過型であり、サブパネル８２は、一方のガラス基板９１側から観察者５０により表示が観察される反射型である。なお、一方のガラス基板９１は、本発明の「基板」および「第１基板」の一例であり、他方のガラス基板１０２は、本発明の「第２基板」の一例である。また、メインパネル８１は、本発明の「第１表示パネル」および「主表示パネル」の一例であり、サブパネル８２は、本発明の「第２表示パネル」および「補助表示パネル」の一例である。
【００４９】
この第３実施形態による液晶表示装置では、一方のガラス基板９１上に、ＳｉＯ２膜およびＳｉＮｘ膜の積層膜からなる絶縁性薄膜９２が形成されている。絶縁性薄膜９２上のメインパネル８１が形成される領域およびサブパネル８２が形成される領域には、所定の間隔を隔てて島状化された多結晶シリコン膜９３が形成されている。各々の多結晶シリコン膜９３には、チャネル領域９３ｃを挟むように所定の間隔を隔てて、ソース領域９３ａおよびドレイン領域９３ｂが形成されている。チャネル領域９３ｃ上には、ゲート絶縁膜９４を介してゲート電極９５が形成されている。このソース領域９３ａ、ドレイン領域９３ｂ、チャネル領域９３ｃ、ゲート絶縁膜９４およびゲート電極９５によって、多結晶シリコンＴＦＴが構成されている。
【００５０】
この多結晶シリコンＴＦＴおよびゲート絶縁膜９４を覆うように、層間絶縁膜９６が形成されている。層間絶縁膜９６に設けられたコンタクトホール９６ｃを介して、ドレイン領域９３ｂに電気的に接続するとともに、層間絶縁膜９６の上面上に沿って延びるように、ドレイン電極９７が形成されている。ドレイン電極９７および層間絶縁膜９６を覆うように、平坦化絶縁膜９８が形成されている。
【００５１】
また、メインパネル８１が形成される領域では、平坦化絶縁膜９８および層間絶縁膜９６に設けられたコンタクトホール９８ａおよび９６ａを介して、ソース領域９３ａに電気的に接続するとともに、平坦化絶縁膜９８の上面上に沿って延びるように、半透過型の反射電極９９が形成されている。この反射電極９９は、Ａｌなどから形成されるとともに、半透過型のメインパネル８１の反射領域を構成する。また、半透過型の反射電極９９の上面上および平坦化絶縁膜９８の凹部９８ｃ上に、ＩＴＯ膜などの透明導電性膜からなる透明電極１００ａが形成されている。この透明電極１００ａの凹部９８ｃ上に形成される部分は、半透過型のメインパネル８１の透過領域を構成する。また、反射電極９９および透明電極１００ａにより、メインパネル８１の画素電極が構成されている。
【００５２】
また、サブパネル８２が形成される領域では、平坦化絶縁膜９８および層間絶縁膜９６に設けられたコンタクトホール９８ｂおよび９６ｂを介して、ソース領域９３ａに電気的に接続するとともに、平坦化絶縁膜９８の上面上に沿って延びるように、ＩＴＯ膜などの透明導電性膜からなる透明電極１００が形成されている。この透明電極１００は、サブパネル８２の画素電極を構成する。また、メインパネル８１の反射電極９９および透明電極１００ａと、サブパネル８２の透明電極１００とを覆うように、ポリイミドなどからなる配向膜１０１が形成されている。
【００５３】
また、他方のガラス基板１０２上のサブパネル８２が形成される領域には、Ａｌなどの反射率の高い材料からなるとともに、約８０ｎｍ〜約１００ｎｍの膜厚を有する反射膜１０７が形成されている。この反射膜１０７は、サブパネル８２に入射される光を反射するために設けられている。サブパネル８２が形成される領域の反射膜１０７上と、メインパネル８１が形成される領域のガラス基板１０２上とを覆うように、カラーフィルタ１０３が形成されている。
【００５４】
このカラーフィルタ１０３は、画素と画素との間に形成される黒い部分であるブラックマトリックス（黒色領域）１０３ａと、薄い赤色領域１０３ｂと、濃い赤色領域１０３ｃと、薄い緑色領域１０３ｄと、濃い緑色領域１０３ｅと、薄い青色領域１０３ｆと、濃い青色領域１０３ｇとを含んでいる。薄い赤色領域１０３ｂと薄い緑色領域１０３ｄと薄い青色領域１０３ｆとは、それぞれ、メインパネル８１の反射膜９９が形成される反射領域に対応する領域に形成されている。また、濃い赤色領域１０３ｃと濃い緑色領域１０３ｅと濃い青色領域１０３ｇとは、それぞれ、メインパネル８１の透過領域である平坦化絶縁膜９８の凹部９８ｃに対応する領域に形成されている。また、反射型のサブパネル８２の透明電極１００に対応する領域には、薄い赤色領域１０３ｂと薄い緑色領域１０３ｄと薄い青色領域１０３ｆ（図示せず）とが形成されている。
【００５５】
ここで、第３実施形態の半透過型のメインパネル８１が形成される領域において、カラーフィルタ１０３の反射領域に対応する領域を薄い領域にするとともに、透過領域に対応する領域を濃い領域にしているのは、以下の理由による。すなわち、反射領域では光がカラーフィルタ１０３を２回通るのに対して、透過領域では光がカラーフィルタ１０３を１回のみ通るため、反射領域による表示の方が透過領域よる表示よりも色が濃くなる。このため、反射領域による表示と透過領域による表示とを同様の濃さにするために、カラーフィルタ１０３の反射領域に対応する領域を薄い領域にするとともに、透過領域に対応する領域を濃い領域にしている。
【００５６】
また、カラーフィルタ１０３上のメインパネル８１に対応する領域には、ＩＴＯ膜などの透明導電性膜からなるとともに、約８０ｎｍ〜約１００ｎｍの膜厚を有するメインパネル８１用の対向電極１０４ａが形成されている。また、カラーフィルタ１０３のサブパネル８２が形成される領域上には、ＩＴＯ膜などの透明導電性膜からなるとともに、約８０ｎｍ〜約１００ｎｍの膜厚を有するサブパネル８２用の対向電極１０４ｂが形成されている。メインパネル８１用の対向電極１０４ａと、サブパネル８２用の対向電極１０４ｂとは、所定の間隔を隔てて電気的に分離するように形成されている。なお、対向電極１０４ａは、本発明の「第１対向電極」の一例であり、対向電極１０４ｂは、本発明の「第２対向電極」の一例である。
【００５７】
また、対向電極１０４ａおよび１０４ｂを覆うように、ポリイミドなどからなる配向膜１０５が形成されている。そして、他方のガラス基板１０２側の配向膜１０５と、一方のガラス基板９１側の配向膜１０１との間に、液晶１０６が充填されている。ここで、第３実施形態では、半透過型のメインパネル８１の反射領域における液晶１０６の厚みｘ１は、透過領域における液晶１０６の厚みｘ２の１／２になるように、平坦化絶縁膜９８に凹部９８ｃが形成されている。すなわち、反射領域では光が２回液晶１０６を通過するのに対して、透過領域では光が１回だけ液晶１０６を通過するので、反射領域と透過領域との光の光路長を等しくするために、反射領域の液晶１０６の厚みｘ１を、透過領域における液晶１０６の厚みｘ２の１／２にしている。
【００５８】
また、第３実施形態では、一方のガラス基板９１の裏面側に、バックライトユニット１１０が設置されている。このバックライトユニット１１０は、冷陰極管１１１と、金属からなる反射板１１２と、アクリルからなる導光板１１３とを含んでいる。また、反射板１１２のサブパネル８２に対応する領域は、オープン状態になっている。これにより、冷陰極管１１１からの光は、メインパネル８１側のみならず、サブパネル８２側にも入射される。つまり、１つのバックライトユニット１１０をメインパネル８１とサブパネル８２とで共用化している。これにより、高価な部品である冷陰極管１１１を共用することができるので、光源のコストを低減することができる。なお、昼間に反射型のサブパネル８２のみを使用する場合には、外光を反射させて表示を行う。
【００５９】
ここで、メインパネル８１では、バックライトユニット１１０からの光が、一方のガラス基板９１側から入射されるとともに、液晶１０６を通過して、他方のガラス基板１０２側に透過する。また、外光が、他方のガラス基板１０２側から入射されるとともに、液晶１０６を通過して反射電極９９により他方のガラス基板１０２側に反射される。これにより、メインパネル８１の表示は、他方のガラス基板１０２側から観察者５０によって観察される。また、サブパネル８２では、バックライトユニット１１０からの光または外光が、一方のガラス基板９１側から入射されるとともに、液晶１０６を通過して反射膜１０７により一方のガラス基板９１側に反射される。これにより、サブパネル８２の表示は、一方のガラス基板９１側から観察者５０によって観察される。
【００６０】
第３実施形態では、上記のように、サブパネル８２が形成される領域の他方のガラス基板１０２の表面上に、反射膜１０７を設けることによって、一方のガラス基板９１から入射されて液晶１０６を通過した光を反射膜１０７により反射することができるので、容易に、一方のガラス基板９１側から表示を観察することが可能な反射型のサブパネル８２を得ることができる。そして、この反射型のサブパネル８２と、他方のガラス基板１０２側から表示を観察することが可能な半透過型のメインパネル８１とを組み合わせることによって、容易に、両面表示型の液晶表示装置を得ることができる。
【００６１】
また、この第３実施形態では、サブパネル８２の反射膜１０７を他方のガラス基板１０２とカラーフィルタ１０３との間に形成することによって、一方のガラス基板９１側から入射した光が他方のガラス基板１０２を通過することなく反射膜１０７によって反射されるので、他方のガラス基板１０２による光吸収損失がない。これにより、サブパネル８２の明るさが低下するのを抑制することができる。また、反射膜１０７の表面がカラーフィルタ１０３によって覆われているので、反射膜１０７の表面の劣化を有効に抑制することができる。
【００６２】
また、第３実施形態では、メインパネル８１を、半透過型にすることによって、透過型の場合に比べて、バックライトユニット１１０の冷陰極管１１１を小さくすることができる。これにより、消費電力をより低減することができる。
【００６３】
また、第３実施形態では、メインパネル８１が形成される領域において、反射電極９９上にＩＴＯ膜などからなる透明電極１００ａを形成することによって、液晶１０６に接する画素電極面を、ＩＴＯ膜などからなる透明電極１００ａの上面にすることができる。これにより、液晶１０６に接する画素電極面を、反射電極９９の上面にする場合に比べて、液晶１０６に対する特性を良好にすることができる。その結果、反射電極９９を形成することに起因する液晶１０６の特性の劣化を抑制することができる。
【００６４】
なお、第３実施形態のその他の効果は、上記した第１実施形態と同様である。すなわち、第３実施形態では、同一のガラス基板９１上にメインパネル８１とサブパネル８２とを設けることによって、メインパネル８１およびサブパネル８２をそれぞれ別々のガラス基板上に形成する場合に比べて、より小型化を図ることができる。また、一方のガラス基板９１が１つでよいので、部品点数を削減することができるとともに、組立工程を簡略化することができる。その結果、装置コストをより削減することができる。
【００６５】
また、第３実施形態では、上記第１実施形態と同様、メインパネル８１用の対向電極１０４ａと、サブパネル８２用の対向電極１０４ｂとを、電気的に分離するように形成することによって、メインパネル８１またはサブパネル８２のいずれか一方のみを使用する場合に、メインパネル８１またはサブパネル８２のいずれか一方にのみ電圧を印加することができる。これにより、省電力化を図ることができる。
【００６６】
（第４実施形態）
図６は、本発明の第４実施形態によるメインパネルおよびサブパネルを含む携帯電話用の液晶表示装置を示した断面図である。図６を参照して、この第４実施形態では、上記第１〜第３実施形態と異なり、他方のガラス基板側からメインパネルおよびサブパネルの両方の表示を観察する片面表示型の液晶表示装置について説明する。
【００６７】
まず、この第４実施形態による液晶表示装置では、メインパネル１６１とサブパネル１６２とが、同一の一方のガラス基板１２１上に形成されている。また、メインパネル１６１は、他方のガラス基板１３２側から観察者５０により表示が観察される半透過型であり、サブパネル１６２は、他方のガラス基板１３２側から観察者５０により表示が観察される反射型である。つまり、この第４実施形態による液晶表示装置は、他方のガラス基板１３２側からメインパネル１６１およびサブパネル１６２の両方の表示を観察者５０が観察する片面表示型の液晶表示装置である。なお、一方のガラス基板１２１は、本発明の「基板」および「第１基板」の一例であり、他方のガラス基板１３２は、本発明の「第２基板」の一例である。また、メインパネル１６１は、本発明の「第１表示パネル」および「主表示パネル」の一例であり、サブパネル１６２は、本発明の「第２表示パネル」および「補助表示パネル」の一例である。
【００６８】
この第４実施形態では、一方のガラス基板１２１上に、ＳｉＯ２膜とＳｉＮｘ膜との積層膜からなる絶縁性薄膜１２２が形成されている。絶縁性薄膜１２２上のメインパネル１６１が形成される領域およびサブパネル１６２が形成される領域には、所定の間隔を隔てて、島状化された多結晶シリコン膜１２３が形成されている。各々の多結晶シリコン膜１２３には、チャネル領域１２３ｃを挟むように、ソース領域１２３ａおよびドレイン領域１２３ｂが所定の間隔を隔てて形成されている。チャネル領域１２３ｃ上には、ゲート絶縁膜１２４を介してゲート電極１２５が形成されている。このソース領域１２３ａ、ドレイン領域１２３ｂ、チャネル領域１２３ｃ、ゲート絶縁膜１２４およびゲート電極１２５によって、多結晶シリコンＴＦＴが構成されている。
【００６９】
この多結晶シリコンＴＦＴおよびゲート絶縁膜１２４を覆うように、層間絶縁膜１２６が形成されている。層間絶縁膜１２６のコンタクトホール１２６ｃを介して、ドレイン領域１２３ｂに電気的に接続するとともに、層間絶縁膜１２６の上面上に沿って延びるように、ドレイン電極１２７が形成されている。ドレイン電極１２７および層間絶縁膜１２６を覆うように、平坦化絶縁膜１２８が形成されている。
【００７０】
また、メインパネル１６１が形成される領域では、平坦化絶縁膜１２８および層間絶縁膜１２６のコンタクトホール１２８ａおよび１２６ａを介して、ソース領域１２３ａに電気的に接続するとともに、平坦化絶縁膜１２８の上面上に沿って延びるように、反射電極１２９ａが形成されている。この反射電極１２９ａは、Ａｌなどからなるとともに、半透過型のメインパネル１６１の反射領域を構成する。反射電極１２９ａ上および平坦化絶縁膜１２８の凹部１２８ｃ上には、ＩＴＯ膜などの透明導電性膜からなる透明電極１３０ａが形成されている。この透明電極１３０ａの凹部１２８ｃ上に形成される部分は、半透過型のメインパネル１６１の透過領域を構成する。また、この反射電極１２９ａおよび透明電極１３０ａによって、メインパネル１６１の画素電極が構成されている。
【００７１】
また、サブパネル１６２が形成される領域では、コンタクトホール１２６ｂおよび１２８ｂを介して、ソース領域１２３ａに電気的に接続するとともに、平坦化絶縁膜１２８の上面上に沿って延びるように、反射電極１２９ｂが形成されている。この反射電極１２９ｂは、Ａｌなどからなる。反射電極１２９ｂの上面上には、ＩＴＯ膜などの透明導電性膜からなる透明電極１３０ｂが形成されている。この反射電極１２９ｂおよび透明電極１３０ｂによって、サブパネル１６２の画素電極が構成されている。なお、メインパネル１６１の反射電極１２９ａと、サブパネル１６２の反射電極１２９ｂとは、同一層によって形成されているとともに、メインパネル１６１の透明電極１３０ａと、サブパネル１６２の透明電極１３０ｂとは、同一層によって形成されている。
【００７２】
また、メインパネル１６１の反射電極１２９ａおよび透明電極１３０ａと、サブパネル１６２の反射電極１２９ｂおよび透明電極１３０ｂとを覆うように、ポリイミドなどからなる配向膜１３１が形成されている。
【００７３】
また、他方のガラス基板１３２上には、カラーフィルタ１３３が形成されている。カラーフィルタ１３３は、上記第３実施形態と同様、黒色領域１３３ａと、薄い赤色領域１３３ｂと、濃い赤色領域１３３ｃと、薄い緑色領域１３３ｄと、濃い緑色領域１３３ｅと、薄い青色領域１３３ｆと、濃い青色領域１３３ｇとを含んでいる。薄い赤色領域１３３ｂ、薄い緑色領域１３３ｄおよび薄い青色領域１３３ｆは、メインパネル１６１の反射領域と、サブパネル１６２の反射領域とに形成されている。また、濃い赤色領域１３３ｃ、濃い緑色領域１３３ｅおよび濃い青色領域１３３ｇは、メインパネル１６１の透過領域に形成されている。なお、黒色領域１３３ａは、画素間の領域に形成されている。
【００７４】
カラーフィルタ１３３上のメインパネル１６１が形成される領域上には、ＩＴＯ膜などの透明導電性膜からなるとともに、約８０ｎｍ〜約１００ｎｍの膜厚を有するメインパネル１６１用の対向電極１３４ａが形成されている。また、カラーフィルタ１３３上のサブパネル１６２に対応する領域には、ＩＴＯ膜などの透明導電性膜からなるとともに、約８０ｎｍ〜約１００ｎｍの膜厚を有するサブパネル１６２用の対向電極１３４ｂが形成されている。メインパネル１６１用の対向電極１３４ａと、サブパネル１６２用の対向電極１３４ｂとは、所定の間隔を隔てて電気的に分離するように形成されている。なお、対向電極１３４ａは、本発明の「第１対向電極」の一例であり、対向電極１３４ｂは、本発明の「第２対向電極」の一例である。対向電極１３４ａおよび１３４ｂを覆うように、ポリイミドなどからなる配向膜１３５が形成されている。そして、一方のガラス基板１２１側の配向膜１３１と、他方のガラス基板１３２側の配向膜１３５との間に、液晶１３６が充填されている。
【００７５】
ここで、半透過型のメインパネル１６１の反射領域における液晶１３６の厚みｘ１は、透過領域における液晶１３６の厚みｘ２の１／２になるように、平坦化絶縁膜１２８に凹部１２８ｃが形成されている。すなわち、反射領域では光が２回液晶１３６を通過するのに対して、透過領域では光が１回だけ液晶１３６を通過するので、反射領域と透過領域との光の光路長を等しくするために、反射領域の液晶１３６の厚みｘ１を、透過領域における液晶１３６の厚みｘ２の１／２にしている。
【００７６】
また、一方のガラス基板１２１の裏面側には、半透過型のメインパネル１６１の光源となるバックライトユニット１４０が設置されている。バックライトユニット１４０は、冷陰極管１４１と、金属からなる反射板１４２と、アクリルからなる導光板１４３とを含んでいる。また、他方のガラス基板１３２の裏面側には、夜間などの外光が得られない時などに、反射型のサブパネル１６２の光源となるＬＥＤ１５１と反射板１５２と導光板１５３とが設置されている。なお、外光が得られる昼間などには、サブパネル１６２の表示は、外光を用いて行われる。
【００７７】
なお、メインパネル１６１では、バックライトユニット１４０からの光が、一方のガラス基板１２１側から入射されるとともに、液晶１３６を通過して、他方のガラス基板１３２側に透過する。また、外光が、他方のガラス基板１３２側から入射されるとともに、液晶１３６を通過して反射電極１２９ａにより他方のガラス基板１３２側に反射される。これにより、メインパネル１６１の表示は、他方のガラス基板１３２側から観察者５０によって観察される。また、サブパネル１６２では、ＬＥＤ１５１からの光または外光が、他方のガラス基板１３２側から入射されるとともに、液晶１３６を通過して反射電極１２９ｂにより他方のガラス基板１３２側に反射される。これにより、サブパネル１６２の表示も、他方のガラス基板１３２側から観察者５０によって観察される。
【００７８】
図７および図８は、図６に示した第４実施形態によるメインパネルおよびサブパネルを有する片面表示型の液晶表示装置を含む携帯電話の一例を示した斜視図である。図７および図８に示した一例による携帯電話１６０は、表示部１６０ａと操作部１６０ｂとから構成されている。また、表示部１６０ａは、メインパネル１６１とサブパネル１６２とを含んでいる。電話の不使用時には、図７に示すように、操作部１６０ｂが表示部１６０ａに対して折りたたまれた状態になる。この場合には、サブパネル１６２によって、時間情報などが表示される。
【００７９】
また、電話の使用時には、図７の矢印の方向に操作部１６０ｂを開くことによって、図８に示すような状態になる。この状態では、メインパネル１６１およびサブパネル１６２の両方に表示が行われる。この場合、メインパネル１６１では、動画や電話番号などが表示される。
【００８０】
また、図９および図１０は、図６に示した第４実施形態によるメインパネルおよびサブパネルを有する片面表示型の液晶表示装置を含む携帯電話の他の例を示した斜視図である。図９および図１０に示した他の例による携帯電話１７０は、表示部１７０ａと操作部１７０ｂとから構成されている。この操作部１７０ｂは、図９に示す矢印の方向に沿ってスライドさせることによって、図１０に示すような状態となる。図９に示す状態では、サブパネル１６２のみによって表示が行われ、図１０に示す状態では、メインパネル１６１およびサブパネル１６２の両方で表示が行われる。
【００８１】
第４実施形態では、上記のように、半透過型のメインパネル１６１と、反射型のサブパネル１６２との両方を他方のガラス基板１３２側から観察者５０が観察するように構成することによって、容易に、１つのガラス基板１２１上に片面表示型のメインパネル１６１およびサブパネル１６２を形成することができる。
【００８２】
また、第４実施形態では、メインパネル１６１の反射電極１２９ａとサブパネル１６２の反射電極１２９ｂとを同一層によって形成するとともに、メインパネル１６１の透明電極１３０ａとサブパネル１６２の透明電極１３０ｂとを同一層によって形成することによって、メインパネル１６１の画素電極形成工程とサブパネル１６２の画素電極形成工程とを共通化することができるので、製造プロセスを簡略化することができる。
【００８３】
また、第４実施形態では、反射膜１２９ａ上にＩＴＯ膜などからなる透明電極１３０ａを形成するとともに、反射電極１２９ｂ上にＩＴＯ膜などからなる透明電極１３０ｂを形成することによって、液晶１３６に接する画素電極面を、ＩＴＯ膜などからなる透明電極１３０ａおよび１３０ｂの上面にすることができる。これにより、液晶１３６に接する画素電極面を、反射電極１２９ａおよび１２９ｂの上面にする場合に比べて、液晶１３６に対する特性を良好にすることができる。その結果、反射電極１２９ａおよび１２９ｂを形成することに起因する液晶１３６の特性の劣化を抑制することができる。
【００８４】
なお、第４実施形態のその他の効果は、上記した第１実施形態と同様である。
すなわち、第４実施形態では、第１実施形と同様、同一のガラス基板１２１上に、メインパネル１６１とサブパネル１６２とを形成することによって、メインパネル１６１とサブパネル１６２とを別々のガラス基板上に形成する場合に比べて、より小型化を図ることができる。また、一方のガラス基板１２１が１つでよいので、部品点数を削減することができるとともに、組立工程を簡略化することができる。その結果、装置コストをより削減することができる。
【００８５】
また、第４実施形態では、第１実施形態と同様、メインパネル１６１用の対向電極１３４ａと、サブパネル１６２用の対向電極１３４ｂとを電気的に分離して形成することによって、メインパネル１６１またはサブパネル１６２のいずれか一方のみを使用する場合に、メインパネル１６１またはサブパネル１６２の一方にのみ電圧を印加することができる。これにより、省電力化を図ることができる。
【００８６】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００８７】
たとえば、上記実施形態では、メインパネルとサブパネルの２つの液晶表示パネルを含む携帯電話用の液晶表示装置を例にとって説明したが、本発明はこれに限らず、複数の表示パネルを含む携帯電話以外の携帯機器用の表示装置や携帯機器以外の機器用の表示装置にも同様に適用可能である。
【００８８】
また、上記実施形態では、メインパネルとサブパネルの２つの液晶表示パネルを含む場合について説明したが、本発明はこれに限らず、３つ以上の表示パネルを含む場合にも同様に適用可能である。
【００８９】
また、上記実施形態では、液晶表示パネルを含む表示装置に本発明を適用する場合について説明したが、本発明はこれに限らず、ＥＬ表示パネルなどの自発光素子を含む表示装置にも適用可能である。ＥＬ表示パネルに適用する場合、たとえば、メインパネルをトップエミッション（Ｔｏｐ　Ｅｍｉｓｓｉｏｎ）型とし、サブパネルをボトムエミッション（Ｂｏｔｔｏｍ　Ｅｍｉｓｓｉｏｎ）型とすればよい。
【００９０】
また、図３に示した第１実施形態の変形例では、図２に示した第１実施形態の冷陰極管に代えてＬＥＤを用いた例を示したが、本発明はこれに限らず、図４に示した第２実施形態および図５に示した第３実施形態において、冷陰極管を含むバックライトユニットに代えて、図３に示したようなＬＥＤ光源を用いるようにしてもよい。
【００９１】
【発明の効果】
以上のように、本発明によれば、複数の表示パネルを含む場合に、より小型化を図ることができる。また、部品点数をより削減することができるとともに、組立工程をより簡略化することができる。
【図面の簡単な説明】
【図１】本発明の第１実施形態によるメインパネルとサブパネルとを含む携帯電話用の液晶表示装置を示した平面図である。
【図２】図１に示した第１実施形態による携帯電話用の液晶表示装置を示した断面図である。
【図３】本発明の第１実施形態の変形例によるメインパネルとサブパネルとを含む携帯電話用の液晶表示装置を示した断面図である。
【図４】本発明の第２実施形態によるメインパネルとサブパネルとを含む携帯電話用の液晶表示装置を示した断面図である。
【図５】本発明の第３実施形態によるメインパネルとサブパネルとを含む携帯電話用の液晶表示装置を示した断面図である。
【図６】本発明の第４実施形態によるメインパネルとサブパネルとを含む携帯電話用の液晶表示装置を示した断面図である。
【図７】図６に示した第４実施形態による片面表示型の液晶表示装置を含む携帯電話の一例を示した斜視図である。
【図８】図６に示した第４実施形態による片面表示型の液晶表示装置を含む携帯電話の一例を示した斜視図である。
【図９】図６に示した第４実施形態による片面表示型の液晶表示装置を含む携帯電話の他の例を示した斜視図である。
【図１０】図６に示した第４実施形態による片面表示型の液晶表示装置を含む携帯電話の他の例を示した斜視図である。
【図１１】従来のメインパネルとサブパネルとを含む折りたたみ式の携帯電話を示した斜視図である。
【図１２】従来のメインパネルとサブパネルとを含む折りたたみ式の携帯電話を示した斜視図である。
【符号の説明】
１、５１、８１、１６１　メインパネル（第１表示パネル、主表示パネル）
２、５２、８２、１６２　サブパネル（第２表示パネル、補助表示パネル）
１１、６１、９１、１２１　ガラス基板（基板、第１基板）
２２、７２、１０２、１３２　ガラス基板（第２基板）
７１、１０７　反射膜
２４ａ、７４ａ、１０４ａ、１３４ａ　対向電極（第１対向電極）
２４ｂ、７４ｂ、１０４ｂ、１３４ｂ　対向電極（第２対向電極）
【図１】
2004070225.tif 000003
【図２】
2004070225.tif 000004
【図３】
2004070225.tif 000005
【図４】
2004070225.tif 000006
【図５】
2004070225.tif 000007
【図６】
2004070225.tif 000008
【図７】
2004070225.tif 000009
【図８】
2004070225.tif 000010
【図９】
2004070225.tif 000011
【図１０】
2004070225.tif 000012
【図１１】
2004070225.tif 000013
【図１２】
2004070225.tif 000014